(57)【要約】【課題】比較的手の小さなユーザが安定して把持することができ、長時間使用しても疲れを感じにくい把持型電動器具を提供する。【解決手段】把持型電動器具の一例であるハンディ型ブレンダー１は、筐体などで外形が形成された本体部１１を有する。本体部１１は、電動機（モータ）などの動力源を収容する。ハンディ型ブレンダー１の本体部１１には、ユーザの想定使用姿勢において、ユーザと対峙する側の側面に第１の突起部１２が設けられている。【選択図】図１
2019176943.tif 000002
【特許請求の範囲】
【請求項１】
動力源と、
前記動力源を収容する本体部と
を有し、
ユーザの想定使用姿勢において、前記ユーザと対峙する側の前記本体部の側面に第１の突起部が設けられている
把持型電動器具。
【請求項２】
前記第１の突起部は、前記ユーザが前記想定使用姿勢で前記本体部を把持したときに、前記ユーザの手に当接する第１の当接部を有している、請求項１に記載の把持型電動器具。
【請求項３】
前記ユーザが前記想定使用姿勢で前記本体部を把持したときに、前記第１の当接部は、前記ユーザの手の親指と人差し指との間に位置する部分と略平行となるように配置されている、請求項２に記載の把持型電動器具。
【請求項４】
前記第１の突起部から前記本体部の長手方向に離間した位置に第２の突起部が設けられている、請求項１から３の何れか１項に記載の把持型電動器具。
【請求項５】
前記第２の突起部は、前記ユーザが前記想定使用姿勢で前記本体部を把持したときに、前記ユーザの手に当接する第２の当接部を有している、請求項４に記載の把持型電動器具。
【請求項６】
前記第２の突起部は、湾曲した形状を有している、請求項４または５に記載の把持型電動器具。
【請求項７】
把持型調理器具である、請求項１から５の何れか１項に記載の把持型電動器具。
【発明の詳細な説明】
【技術分野】
【０００１】
本発明は、例えば、把持型ブレンダーなどの把持型電動器具に関する。
【背景技術】
【０００２】
近年、食材の混合、泡立て、細断などを行うための調理器具として、ハンディタイプのブレンダーおよびフードプロセッサが製品化されている。現状のハンディタイプの調理器具は、その外形が平滑であり、手のひらで把持した際に滑りやすいものとなっている。また、特許文献１には、比較的しっかりと把持しなければならない場合であっても運転停止ボタンを操作しやすい把持型調理器が開示されている。
【先行技術文献】
【特許文献】
【０００３】
【特許文献１】特開２０１７−４６８８０号公報
【発明の概要】
【発明が解決しようとする課題】
【０００４】
しかし、手が小さく、力の弱い女性や子供にとっては、従来のハンディタイプの調理器具は径が大きく、把持しにくい形状となっている。そのため、女性や子供がハンディタイプの調理器具を使用する際には、調理器具をしっかりと保持するために両手で把持したり、かなりの力を入れて把持したりしなければならないことがある。また、力を入れて調理器具を把持すると疲れやすく、長時間使い続けることが困難となることもある。
【０００５】
また、ハンディタイプの調理器具を動作させるためには、調理器具を把持しつつ、スイッチを押し続ける必要がある。この状態では、手の腹から掌底部にかけて、調理器具の筐体と手の間に隙間が形成される可能性がある。そのため、ユーザは、調理器具に対して力を入れにくくなり、調理器具の刃が混合物や粉砕物などの食材にめり込んだときに食材から抜けなくなる可能性がある。また、調理器具から食材を引き離す作業を行うときに、把持する力が弱いとブレンダー自体が手から離れやすくなってしまう可能性がある。また、ハンディタイプの調理器具をしっかりと手全体で把持することができず、安定して操作しにくい可能性もある。
【０００６】
そこで、本発明は、比較的手の小さなユーザが安定して把持することができ、長時間使用しても疲れを感じにくい把持型電動器具を提供することを目的とする。
【課題を解決するための手段】
【０００７】
本発明の一局面にかかる把持型電動器具は、動力源と、前記動力源を収容する本体部とを有している。この把持型電動器具には、ユーザの想定使用姿勢において、前記ユーザと対峙する側の前記本体部の側面に第１の突起部が設けられている。
【０００８】
上記の本発明の一局面にかかる把持型電動器具において、前記第１の突起部は、前記ユーザが前記想定使用姿勢で前記本体部を把持したときに、前記ユーザの手に当接する第１の当接部を有していてもよい。
【０００９】
上記の本発明の一局面にかかる把持型電動器具は、前記ユーザが前記想定使用姿勢で前記本体部を把持したときに、前記当接部が、前記ユーザの手の親指と人差し指との間に位置する部分と略平行となるように配置されていてもよい。
【００１０】
上記の本発明の一局面にかかる把持型電動器具には、前記第１の突起部から前記本体部の長手方向に離間した位置に第２の突起部が設けられていてもよい。
【００１１】
上記の本発明の一局面にかかる把持型電動器具において、前記第２の突起部は、前記ユーザが前記想定使用姿勢で前記本体部を把持したときに、前記ユーザの手に当接する第２の当接部を有していてもよい。
【００１２】
上記の本発明の一局面にかかる把持型電動器具において、前記第２の突起部は、湾曲した形状を有していてもよい。
【００１３】
上記の本発明の一局面にかかる把持型電動器具は、把持型調理器具であってもよい。
【発明の効果】
【００１４】
以上のように、本発明の一局面によれば、比較的手の小さなユーザが安定して把持することができ、長時間使用しても疲れを感じにくい把持型電動器具を提供できる。
【図面の簡単な説明】
【００１５】
【図１】第１の実施形態にかかるハンディ型ブレンダーの外観構成を示す斜視図である。
【図２】図１に示すハンディ型ブレンダーの外観構成を示す正面図である。
【図３】図１に示すハンディ型ブレンダーの外観構成を示す側面図である。
【図４】第１の実施形態の変形例にかかるハンディ型ブレンダーの外観構成を示す側面図である。
【図５】図４に示すハンディ型ブレンダーの使用例を示す模式図である。
【図６】ハンディ型ブレンダーを使用するときの手の接触部分を示す模式図である。
【図７】ハンディ型ブレンダーを使用するときの手のひらの接触部分を示す模式図である。
【図８】第２の実施形態にかかるハンディ型ブレンダーの外観構成を示す斜視図である。
【図９】第３の実施形態にかかるハンディ型ブレンダーの外観構成を示す斜視図である。
【図１０】図９に示すハンディ型ブレンダーの外観構成を示す正面図である。
【図１１】第４の実施形態にかかるハンディ型ブレンダーの外観構成を示す斜視図である。
【図１２】第５の実施形態にかかるハンディ型ブレンダーの外観構成を示す斜視図である。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
〔第１の実施形態〕
（ハンディ型ブレンダーの概略構成）
本実施形態では、本発明にかかる把持型電動器具の一例として、把持型調理器具の一種であるハンディ型ブレンダー１を例に挙げて説明する。図１から図３には、ハンディ型ブレンダー１を示す。図１は、ハンディ型ブレンダー１の斜視図である。図２は、ハンディ型ブレンダー１の正面側を示す平面図である。図３は、ハンディ型ブレンダー１の一側面側を示す平面図である。
【００１８】
図１に示すように、ハンディ型ブレンダー１は、略円柱形の外形を有する本体部１１を有している。本体部１１は、例えば、直径５０ｍｍの円柱形状を有している。
【００１９】
本体部１１は、プラスチックなどの樹脂材料で形成された筐体で外形が構成されている。筐体内には、例えば、電動機（モータ）などの動力源、制御基板、メインシャフトなどが収容されている。モータは、ＤＣモータなどの回転駆動式のモータを用いることができる。
【００２０】
本体部１１の長手方向の端部には、下端部１１ａおよび上端部１１ｂが設けられている。ハンディ型ブレンダー１を通常の使用時の状態で保持したときに、下端部１１ａは下方側に位置し、上端部１１ｂは上方側に位置する。本実施形態にかかるハンディ型ブレンダー１では、本体部の下端部１１ａおよび上端部１１ｂは、互いに略平行な構造となっている。しかし、上端部１１ｂおよび上端部１１ｂの何れか一方が、他方に対して傾斜した構造となっていてもよい。
【００２１】
なお、ユーザが、ハンディ型ブレンダー１を通常の使用時の状態で保持したときのユーザの姿勢を想定使用姿勢と呼ぶ。ユーザが想定使用姿勢でハンディ型ブレンダー１を把持したとき、ユーザと対向（対峙する）する側に位置する本体部１１の側面を本体部１１の正面とする。そして、正面とは反対側に位置する本体部１１の側面を背面とする。
【００２２】
図示はしていないが、本体部１１の上端部１１ｂからは電源コードが延びている。電源コードをコンセントに差すことで、本体部１１内の動力源へ電気が供給される。但し、本発明の別態様にかかるハンディ型ブレンダーは、充電式、もしくは電池で駆動する方式のものであってもよい。
【００２３】
また、図示はしていないが、本体部１１の下端部１１ａには、アタッチメントが取り付けられる構造になっている。アタッチメントには、動力源からの動力がメインシャフトなどを介して伝達される。これにより、アタッチメントは、回転、振動などの動作を行う。アタッチメントが動作することで、調理対象となる食材の混合、撹拌、粉砕、泡立てなどを行うことができる。
【００２４】
本体部１１の側面には、第１の突起部１２、第２の突起部１３、および操作部１４などが設けられている。
【００２５】
第１の突起部１２は、本体部１１の正面側の側面に設けられている。本実施形態では、第１の突起部１２は、側面視で三角形の山型形状を有する（図３参照）。第１の突起部１２は、ユーザが想定使用姿勢で本体部１１（筐体）を把持したときに、ユーザの手が当接する第１の当接部１２ａを有している。本実施形態では、第１の突起部１２の下方側の表面が、第１の当接部１２ａとなっている。第１の当接部１２ａは、本体部１１の上端部１１ｂおよび下端部１１ａと略平行な当接面を有する。本実施形態では、ユーザが想定使用姿勢で本体部１１（筐体）を把持したときに、第１の当接部１２ａの当接面は、重力方向に略直角となる（すなわち、略水平な）方向に位置する。
【００２６】
第２の突起部１３は、第１の突起部１２と同じ側（すなわち、正面側）の本体部１１の側面に設けられている。第２の突起部１３は、第１の突起部１２から本体部１１（筐体）の長手方向に離間した位置（すなわち、第１の突起部１２よりも下方側）に配置されている。本実施形態では、第２の突起部１３は、正面視で楕円形状を有する（図２参照）。第２の突起部１３は、ユーザが想定使用姿勢で本体部１１（筐体）を把持したときに、ユーザの手が当接する第２の当接部１３ａを有している。本実施形態では、第２の当接部１３ａは、ユーザが想定使用姿勢の位置にあるときにユーザと対向する平坦な当接面を有する。
【００２７】
第１の突起部１２および第２の突起部１３は、本体部１１を形成している筐体と同じ材料（例えば、樹脂材料）で形成することができる。この場合、本体部１１を形成している筐体の成形加工時に形成することができる。
【００２８】
また、別の態様として、第１の突起部１２および第２の突起部１３を、本体部１１から取り外し可能な構成とすることもできる。また、第１の突起部１２および第２の突起部１３を、本体部１１の筐体とは別のパーツとして、後から取り付けることが可能な構成とすることもできる。このように、筐体とは別パーツにすることで、第１の突起部１２および第２の突起部１３を、色々な形状に成形することが可能となる。また、第１の突起部１２および第２の突起部１３を筐体から取り外し可能とすることで、筐体に対して種々の大きさおよび形状を有する第１の突起部１２および第２の突起部１３を取り付けることができる。これにより、どのような手の大きさのユーザでもフィットさせることが可能になる。
【００２９】
第１の突起部１２および第２の突起部１３を、本体部１１の筐体とは別のパーツで構成する場合、各突起部の材料としては、樹脂材料に限らず、突起状に加工できるものなら何を用いてもよい。第１の突起部１２および第２の突起部１３の材料は、例えば、ゴム材料、ゲル材料、木材、金属、繊維、可食材料などであってもよい。
【００３０】
操作部１４は、本体部１１の背面側に設けられている。つまり、ユーザが想定使用姿勢で本体部１１を把持したときの対面側に操作部１４が設けられている。操作部１４には、電源スイッチ、回転速度設定ボタンなどが設けられている。電源スイッチは、押し続けることで本体部１１内のモータが作動する構造になっている。通常、この電源スイッチは人差し指で操作されることを想定している。ただし、操作する指が他の指（例えば、中指、親指など）であってもよい。
【００３１】
（変形例について）
続いて、第１の実施形態にかかるハンディ型ブレンダー１の変形例について、図４および図５を参照しながら説明する。図４は、変形例にかかるハンディ型ブレンダー５０１の一側面側を示す平面図である。図５は、ハンディ型ブレンダー５０１をユーザが把持した状態を示す図である。
【００３２】
第１の実施形態にかかるハンディ型ブレンダー１と同様に、ハンディ型ブレンダー５０１は、本体部１１を有する。本体部１１の側面には、第１の突起部１２、第２の突起部１３、および操作部１４（図示せず）などが設けられている。本体部１１の長手方向の端部には、下端部１１ａおよび上端部１１ｂが設けられている。変形例では、本体部１１の上端部１１ｂは、正面側から背面側に向かって下方に傾斜している。また、本体部１１の下端部１１ａは、平面ではなく、湾曲した凸形状となっている。また、本体部１１の上端部１１ｂ付近の側面には、正面側に突出した突出部１１ｃが設けられている。
【００３３】
第１の突起部１２、第２の突起部１３、および操作部１４（図示せず）の本体部１１の側面における配置位置は、ハンディ型ブレンダー１と同様である。第１の突起部１２および第２の突起部１３の形状は、第１の実施形態とは異なっている。
【００３４】
第１の突起部１２および第２の突起部１３は、正面側へ突出している。第１の突起部１２は、本体部１１の上端部１１ｂ付近に形成された突出部１１ｃの下方側に配置されている。第２の突起部１３は、第１の突起部１２から本体部１１（筐体）の長手方向に離間した位置（すなわち、第１の突起部１２よりも下方側）に配置されている。第２の突起部１３は、なだらかに湾曲した山型状を有している。また、第１の突起部１２と第２の突起部１３との間には、凹部５２１が形成されている。
【００３５】
第１の突起部１２は、ユーザが想定使用姿勢で本体部１１（筐体）を把持したときに、ユーザの手が当接する第１の当接部１２ａを有している。第１の実施形態と同様に、第１の突起部１２の下方側の表面が、第１の当接部１２ａとなっている。
【００３６】
第２の突起部１３は、ユーザが想定使用姿勢で本体部１１（筐体）を把持したときに、ユーザの手が当接する第２の当接部１３ａを有している。変形例では、第２の当接部１３ａは、湾曲した山型状を有する第２の突起部１３の頂部およびその周辺に設けられている。
【００３７】
ここで、ハンディ型ブレンダー５０１を使用するときのユーザの手の状態について、図５などを参照しながら説明する。ハンディ型ブレンダー５０１を把持する際には、凹部５２１にユーザの手の親指と人差し指との間の部分を配置させる。
【００３８】
ユーザが想定使用姿勢で本体部１１（筐体）を把持したときに、第１の当接部１２ａの当接面は、ユーザの手の親指と人差し指との間に位置する部分（例えば、水かき部）と略平行となるように配置されている（図５参照）。図６には、ユーザの手の親指と人差し指との間に位置する部分（例えば、水かき部）を、第１の当接部１２ａとの当接部として図示する。
【００３９】
また、ユーザが想定使用姿勢で本体部１１（筐体）を把持したときに、第２の当接部１３ａの当接面は、ユーザの手のひらの一部と接触する（図５参照）。図７には、、第２の当接部１３ａと当接する手のひらの一部を、第２の当接部１３ａとの当接部として図示する。
【００４０】
ここで、図５に示すように、第１の当接部１２ａは、ユーザが本体部１１を把持した際の手と略平行な方向に沿って設けられている。また、第１の突起部１２の横幅（本体部１１の短手方向に沿った突起部の長さ）は、親指と人差し指との間に位置する手の一部（例えば、水かき部）を支持できるような大きさに設定されていることが好ましい。また、第２の突起部１３の横幅は、第１の突起部１２の横幅の略半分の大きさとすることが好ましい。例えば、第１の突起部１２の横幅を約４０ｍｍとすることができ、第２の突起部１３の横幅を約２０ｍｍとすることができる。
【００４１】
また、第１の突起部１２の第１の当接部１２ａの配置位置をＡとし、第２の突起部１３の第２の当接部１３ａの頂部の位置をＢとすると（図４参照）、位置Ａと位置Ｂとの距離αは、例えば、０＜α＜８０ｍｍとすることができ、２０ｍｍ≦α≦５０ｍｍとすることが好ましい。また、第２の突起部１３の山型形状の筐体の側面に対する傾斜角度θ（０度＜θ＜１８０度）は、例えば、１５度≦θ≦２５度とすることが好ましい。
【００４２】
以上のように、ハンディ型ブレンダー５０１の本体部１１には、第１の突起部１２が設けられている。第１の突起部１２は、想定使用姿勢でユーザが本体部１１を把持した際に、ユーザの手の親指と人差し指との間の部分（図６参照）に対して略平行部になるように当接する第１の当接部１２ａを有している。この構成により、ハンディ型ブレンダー５０１を手で把持したときに、手（具体的には、手の指以外の部分）との接触箇所が増える（すなわち、手との接触面積が増える）。そのため、把持時に指のみにかかっていた力が指以外の接触箇所に分散され、小さい握力でも把持することが可能となる。また、指以外の手との接触箇所が増えたことで、梃子の原理より重心が肘に近くなり、軽く保持し続けることが容易となる。これによって、片手での作業が可能となる。
【００４３】
また、ハンディ型ブレンダー５０１の本体部１１には、第２の突起部１３が設けられている。第２の突起部１３は、想定使用姿勢でユーザが本体部１１を把持した際に、ユーザの手のひらから掌底部の部分（図７参照）と当接する第２の当接部１３ａを有している。これによって、ユーザは手全体で本体部１１を握りこみやすくなる。これにより、第２の突起部１３は、すべり止めの役割を果たし、本体部１１自体が回転することを抑制することができる。また、本体部１１を把持した際に、第２の突起部１３が手のひらのツボ（例えば、手心、胃脾大腸区、健理三針区、労宮など）の周辺を押すことで、ツボ押しの効果も得られる。
【００４４】
上述したハンディ型ブレンダー５０１の把持方法は、例えば、ハンディ型ブレンダー１などの他の形態のハンディ型ブレンダーにも適用できる。
【００４５】
（第１の実施形態のまとめ）
以上のように、本実施形態にかかるハンディ型ブレンダー１は、使用時（すなわち、ユーザの想定使用姿勢）においてユーザと対面する位置に、２種類の突起部（すなわち、第１の突起部１２および第２の突起部１３）を備えている。
【００４６】
このように、ハンディ型ブレンダー１は、本体部１１に２種類の突起を有していることで、上方の第１の突起部１２によって、手の水かき部で本体部１１を支持することが可能となり、より把持するための力を本体部１１に対して加えやすくなる。これに加え、下方の第２の突起部１３によって、より安定した状態で本体部１１を把持することができ、ハンディ型ブレンダー５０１の動作時に、本体部１１が回転することを抑制することができる。また、第１の突起部１２および第２の突起部１３が設けられていることで、本体部１１を平面上に置いたときに転がることを抑制することができる。
【００４７】
したがって、本実施形態にかかるハンディ型ブレンダー１によれば、比較的手が小さく、また、握力の弱いユーザであっても、本体部１１をしっかりと安定した状態で把持することができる。また、ハンディ型ブレンダー１を長時間使用しても、疲れを感じにくくすることができる。
【００４８】
〔第２の実施形態〕
続いて、本発明の第２の実施形態について説明する。図８には、第２の実施形態にかかるハンディ型ブレンダー１０１の外観構成を示す。
【００４９】
図８に示すように、ハンディ型ブレンダー１０１は、細長い円錐台形状の外形を有する本体部１１１を有している。本体部１１１の長手方向の端部には、下端部１１１ａおよび上端部１１１ｂが設けられている。ハンディ型ブレンダー１０１を通常の使用時の状態で保持したときに、下端部１１１ａは下方側に位置し、上端部１１１ｂは上方側に位置する。上端部１１１ｂの直径は、例えば、５０ｍｍとすることができる。そして、下端部１１１ａの直径は、上端部１１１ｂの直径よりも小さくなっている。
【００５０】
本体部１１１の内部構成は、第１の実施形態と同様の構成が適用できる。なお、ユーザが、ハンディ型ブレンダー１０１を通常の使用時の状態で保持したときのユーザの姿勢を想定使用姿勢と呼ぶ。ユーザが想定使用姿勢でハンディ型ブレンダー１０１を把持したとき、ユーザと対向（対峙する）する側に位置する本体部１１１の側面を本体部１１１の正面とする。そして、正面とは反対側に位置する本体部１１１の側面を背面とする。
【００５１】
本体部１１１の側面には、第１の突起部１１２、第２の突起部１１３、および操作部１４などが設けられている。操作部１４は、第１の実施形態と同様の構成が適用できる。
【００５２】
第１の突起部１１２は、本体部１１１の正面側の側面に設けられている。本実施形態では、第１の突起部１１２は、例えば、直方体などの多角形体、円形体の形状とすることができる。また、第１の突起部１１２は、左右非対称の形状とすることもできる。また、第１の突起部１１２の大きさは、把持したときの手の上部（手の甲）を覆うほどの大きさであってもよい。また、第１の突起部１１２の正面方向の長さは、ユーザの手全体を支持できる程度の長さ、あるいは、ユーザの腕の方まで延びるような長さであってもよい。
【００５３】
第１の突起部１１２は、ユーザが想定使用姿勢で本体部１１１（筐体）を把持したときに、ユーザの手が当接する第１の当接部１１２ａを有している。本実施形態では、第１の突起部１１２の下方側の表面が、第１の当接部１１２ａとなっている。第１の当接部１１２ａは、本体部１１１の上端部１１１ｂおよび下端部１１１ａと略平行な当接面を有する。
【００５４】
第２の突起部１１３は、第１の突起部１１２と同じ側（すなわち、正面側）の本体部１１１の側面に設けられている。第２の突起部１１３は、第１の突起部１１２から本体部１１１（筐体）の長手方向に離間した位置（すなわち、第１の突起部１１２よりも下方側）に配置されている。
【００５５】
本実施形態では、第２の突起部１１３は、図８に示すように、側面視で三角形の山型形状を有する。ただし、第２の突起部１１３の高さｈは、ユーザの手のひらで把持できる程度の高さｈ（例えば、０＜ｈ＜５０ｍｍ）とすることが望ましい。また、第２の突起部１１３の高さｈは、５ｍｍ程度とすることがより好ましい。第２の突起部１１３は、ユーザが想定使用姿勢で本体部１１１（筐体）を把持したときに、ユーザの手が当接する第２の当接部１１３ａを有している。本実施形態では、第２の突起部１１３の表面全体が第２の当接部１１３ａとなっている。
【００５６】
第１の実施形態と同様に、第１の当接部１１２ａの当接面は、ユーザが想定使用姿勢で本体部１１１（筐体）を把持したときに、ユーザの手の親指と人差し指との間に位置する部分（例えば、水かき部）と略平行となるように配置されている。また、ユーザが想定使用姿勢で本体部１１１（筐体）を把持したときに、第２の当接部１１３ａの当接面は、ユーザの手のひらの一部（具体的には、図７に示す第２の当接部１３ａとの当接部）と接触する。
【００５７】
なお、本体部１１１の形状は、上述のような上端部１１１ｂ側から下端部１１１ａ側に向かって細くなるような円錐台形状に限定はされない。本体部１１１の形状は、上端部１１１ｂ側から下端部１１１ａ側に向かって太くなるような円錐台形状であってもよい。また、本体部１１１の形状は手で把持することが可能な形状であれば、円柱形、または円錐台形に限定されない。例えば、本体部１１１を直方体形状とすることもできる。
【００５８】
〔第３の実施形態〕
続いて、本発明の第３の実施形態について説明する。図９および図１０には、第３の実施形態にかかるハンディ型ブレンダー２０１の外観構成を示す。図９は、ハンディ型ブレンダー２０１の斜視図である。図１０は、ハンディ型ブレンダー２０１の正面側を示す平面図である。
【００５９】
図９に示すように、ハンディ型ブレンダー２０１は、本体部２１１を有している。本体部２１１は、細長い略円柱形の外形の一部を切り欠いて形成されたくびれ部２２１を有している。くびれ部２２１は、本体部２１１の正面側に位置する。本体部２１１の長手方向の端部には、下端部２１１ａおよび上端部２１１ｂが設けられている。ハンディ型ブレンダー２０１を通常の使用時の状態で保持したときに、下端部２１１ａは下方側に位置し、上端部２１１ｂは上方側に位置する。
【００６０】
本体部２１１の内部構成は、第１の実施形態と同様の構成が適用できる。なお、ユーザが、ハンディ型ブレンダー２０１を通常の使用時の状態で保持したときのユーザの姿勢を想定使用姿勢と呼ぶ。ユーザが想定使用姿勢でハンディ型ブレンダー２０１を把持したとき、ユーザと対向（対峙する）する側に位置する本体部２１１の側面を本体部２１１の正面とする。そして、正面とは反対側に位置する本体部２１１の側面を背面とする。
【００６１】
本体部２１１の側面には、第１の突起部２１２、第２の突起部２１３、および操作部１４などが設けられている。操作部１４は、第１の実施形態と同様の構成が適用できる。
【００６２】
第１の突起部２１２は、本体部２１１の正面側に形成されたくびれ部２２１の側面に設けられている。本実施形態では、第１の突起部２１２は、例えば、立方体、直方体などの多角形体、円形体の形状とすることができる。また、第１の突起部２１２は、左右非対称の形状とすることもできる。
【００６３】
第１の突起部２１２は、ユーザが想定使用姿勢で本体部２１１（筐体）を把持したときに、ユーザの手が当接する第１の当接部２１２ａを有している。本実施形態では、第１の突起部２１２の下方側の表面が、第１の当接部２１２ａとなっている。第１の当接部２１２ａは、本体部２１１の上端部２１１ｂおよび下端部２１１ａと略平行な当接面を有する。
【００６４】
第２の突起部２１３は、第１の突起部２１２と同じ側（すなわち、正面側）に設けられている。具体的には、第２の突起部２１３は、本体部２１１の正面側に形成されたくびれ部２２１の側面に設けられている。第２の突起部２１３は、第１の突起部２１２から本体部２１１（筐体）の長手方向に離間した位置（すなわち、第１の突起部２１２よりも下方側）に配置されている。
【００６５】
本実施形態では、第２の突起部２１３は、第１の実施形態と同様に、正面視で楕円形状を有する（図１０参照）。第２の突起部２１３は、ユーザが想定使用姿勢で本体部２１１（筐体）を把持したときに、ユーザの手が当接する第２の当接部２１３ａを有している。本実施形態では、第２の当接部２１３ａは、ユーザが想定使用姿勢の位置にあるときにユーザと対向する平坦な当接面を有する。
【００６６】
第１の実施形態と同様に、第１の当接部２１２ａの当接面は、ユーザが想定使用姿勢で本体部２１１（筐体）を把持したときに、ユーザの手の親指と人差し指との間に位置する部分（例えば、水かき部）と略平行となるように配置されている。また、ユーザが想定使用姿勢で本体部２１１（筐体）を把持したときに、第２の当接部２１３ａの当接面は、ユーザの手のひらの一部（具体的には、図７に示す第２の当接部１３ａとの当接部）と接触する。
【００６７】
また、第１の突起部２１２の横幅Ｗ１（本体部１１の短手方向に沿った突起部の長さ）は、親指と人差し指との間に位置する手の一部（例えば、水かき部）を支持できるような大きさに設定されていることが好ましい。また、第２の突起部２１３の横幅Ｗ２は、第１の突起部２１２の横幅Ｗ１の略半分の大きさとすることが好ましい。例えば、第１の突起部２１２の横幅Ｗ１を約４０ｍｍとすることができ、第２の突起部２１３の横幅Ｗ２を約２０ｍｍとすることができる。
【００６８】
なお、くびれ部２２１は、例えば図９に示すように、円柱形の上方部分を略直角に切り欠いた形状とすることができる。図９に示すような形状のくびれ部２２１を有している場合には、第１の突起部２１２の第１の当接部２１２ａからくびれ部２２１の下端部２２１ａまでの距離βを、例えば、８０ｍｍ＜β＜１３０ｍｍとすることができ、好ましくは、１２０ｍｍ≦β≦１３０ｍｍとすることができる。距離βを１２０ｍｍ以上とすることで、手の大きさの異なるより多くの人が、本体部２１１を把持しやすくなる。
【００６９】
また、くびれ部２２１は、その左右側から中央に向かって滑らかにくびれているとともに、くびれ部２２１の下端部２２１ａから正面側に向かって膨らんでいるような形状であってもよい。また、本体部２１１のくびれ部２２１の下方側は、略円柱形になっている。しかし、くびれ部２２１から下方が、例えば、円錐台形、あるいは、左右非対称の形状になっていてもよい。くびれ部２２１の反対側の面（すなわち、背面）が膨らんでいてもよい。ただし、くびれ部２２１における本体部２１１の径が、手で把持できる程度の大きさとすることが好ましい。
【００７０】
〔第４の実施形態〕
続いて、本発明の第４の実施形態について説明する。図１１には、第４の実施形態にかかるハンディ型ブレンダー３０１の外観構成を示す。
【００７１】
図１１に示すように、ハンディ型ブレンダー３０１は、第１の実施形態と同様の略円柱形の外形を有する本体部３１１を有している。本体部３１１の長手方向の端部には、下端部３１１ａおよび上端部３１１ｂが設けられている。ハンディ型ブレンダー３０１を通常の使用時の状態で保持したときに、下端部３１１ａは下方側に位置し、上端部３１１ｂは上方側に位置する。
【００７２】
本体部３１１の内部構成は、第１の実施形態と同様の構成が適用できる。なお、ユーザが、ハンディ型ブレンダー３０１を通常の使用時の状態で保持したときのユーザの姿勢を想定使用姿勢と呼ぶ。ユーザが想定使用姿勢でハンディ型ブレンダー３０１を把持したとき、ユーザと対向（対峙する）する側に位置する本体部３１１の側面を本体部３１１の正面とする。そして、正面とは反対側に位置する本体部３１１の側面を背面とする。
【００７３】
本体部３１１の側面には、第１の突起部３１２、第２の突起部３１３、および操作部１４などが設けられている。操作部１４は、第１の実施形態と同様の構成が適用できる。
【００７４】
第１の突起部３１２は、本体部３１１の正面側の側面に設けられている。本実施形態では、第１の突起部３１２は、例えば、多角形体の形状とすることができる。
【００７５】
第１の突起部３１２は、ユーザが想定使用姿勢で本体部３１１（筐体）を把持したときに、ユーザの手が当接する第１の当接部３１２ａを有している。本実施形態では、第１の突起部３１２の下方側の表面が、第１の当接部３１２ａとなっている。第１の当接部３１２ａは、本体部１１１の上端部１１１ｂなどと平行にはなっておらず、傾斜している。なお、ユーザが想定使用姿勢で本体部３１１（筐体）を把持したときに、第１の当接部３１２ａがユーザの水かき部と接触できることが好ましい。
【００７６】
第２の突起部３１３は、第１の突起部３１２と同じ側（すなわち、正面側）の本体部３１１の側面に設けられている。第２の突起部３１３は、第１の突起部３１２から本体部３１１（筐体）の長手方向に離間した位置（すなわち、第１の突起部３１２よりも下方側）に配置されている。
【００７７】
本実施形態では、第２の突起部３１３は、図１１に示すように、側面視で略Ｌ字型に屈曲した形状を有している。このように、第２の突起部３１３は、側面視が略三角形状の山型形状に限定はされず、例えば、側面視で「ノ」の字型、くびれている形状、中央部分などに穴が空いている形状などにすることができる。ユーザが想定使用姿勢で本体部３１１（筐体）を把持したときに、第２の当接部３１３ａの当接面は、ユーザの手のひらの一部（具体的には、図７に示す第２の当接部１３ａとの当接部）と接触する。
【００７８】
〔第５の実施形態〕
続いて、本発明の第５の実施形態について説明する。図１２には、第５の実施形態にかかるハンディ型ブレンダー４０１の外観構成を示す。
【００７９】
図１２に示すように、ハンディ型ブレンダー４０１は、第１の実施形態と同様の略円柱形の外形を有する本体部４１１を有している。本体部４１１の長手方向の端部には、下端部４１１ａおよび上端部４１１ｂが設けられている。ハンディ型ブレンダー４０１を通常の使用時の状態で保持したときに、下端部４１１ａは下方側に位置し、上端部４１１ｂは上方側に位置する。
【００８０】
本体部４１１の内部構成は、第１の実施形態と同様の構成が適用できる。なお、ユーザが、ハンディ型ブレンダー４０１を通常の使用時の状態で保持したときのユーザの姿勢を想定使用姿勢と呼ぶ。ユーザが想定使用姿勢でハンディ型ブレンダー４０１を把持したとき、ユーザと対向（対峙する）する側に位置する本体部４１１の側面を本体部４１１の正面とする。そして、正面とは反対側に位置する本体部４１１の側面を背面とする。
【００８１】
本体部４１１の側面には、第１の突起部４１２、第２の突起部４１３、および操作部１４などが設けられている。操作部１４は、第１の実施形態と同様の構成が適用できる。
【００８２】
第１の突起部４１２は、本体部４１１の正面側の側面に設けられている。本実施形態では、第１の突起部４１２は、例えば、多角形体の形状とすることができる。第１の突起部４１２は、ユーザが想定使用姿勢で本体部４１１（筐体）を把持したときに、ユーザの手が当接する第１の当接部４１２ａを有している。
【００８３】
第２の突起部４１３は、第１の突起部４１２から本体部４１１（筐体）の長手方向に離間した位置（すなわち、第１の突起部４１２よりも下方側）に配置されている。
【００８４】
本実施形態では、第２の突起部４１３は、第３の実施形態と同様に、正面視で楕円形状を有する（図１２参照）。第２の突起部４１３は、ユーザが想定使用姿勢で本体部４１１（筐体）を把持したときに、ユーザの手が当接する第２の当接部４１３ａを有している。本実施形態では、第２の当接部４１３ａは、ユーザが想定使用姿勢の位置にあるときにユーザと対向する平坦な当接面を有する。
【００８５】
なお、第１の突起部４１２および第２の突起部４１３の各形状が、上記のような組み合わせの場合、第２の突起部４１３は、第１の突起部４１２と、正面視で同じ位置に配置されていなくてもよい。例えば、図１２において破線で示す第１の突起部４１２の水平方向の中央位置から、左右何れかにずれていてもよい。この場合においても、第２の当接部４１３ａの当接面は、ユーザの手のひらの一部と接触することが好ましい。
【００８６】
〔第６の実施形態〕
上述の第１から第５の実施形態では、本発明にかかる把持型電動器具を調理器具に適用する例について説明した。しかし、本発明の別の態様では、他の電動器具として実現することができる。例えば、本発明の一態様を、ドライヤーの持ち手部分の構成に適用することができる。
【００８７】
この場合、第１の突起部などが設けられている筐体は、電源スイッチ、制御基板、モータなどを収容している。電源スイッチは、例えば、ユーザと対面する側に配置される。電源スイッチを上下にスライドさせることによって、モータを駆動させることができる。なお、押しボタン式等の電源スイッチでもよい。
【００８８】
ドライヤー使用時のユーザの想定使用姿勢は、ハンディ型ブレンダー１などと同様に、手で把持しつつ使用する場合の姿勢とすることができる。髪の長い人は長時間ドライヤーを使用することになり、手に負担がかかる。ハンディ型ブレンダー１などを使用する場合と同様に、本実施形態のドライヤーを想定使用姿勢で使用すると、ドライヤーを把持する際に手への負担が少なくすることができる。また、ドライヤーを使用する際には、ユーザは、ハンディ型ブレンダーよりも多方向にドライヤーを移動させることが想定されるため、第２突起部を有していることでより大きな効果を得ることができる。
【００８９】
さらに、超音波ウォッシャー、電動歯ブラシなどの持ち手部分にも、本発明の一態様を適用することができる。ハンディ式アイロンのように筐体の持ち手付近にモータなどが収容されていないものでも、持ち手部分に適用し、同様の効果を得ることができる。
【００９０】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００９１】
１      ：ハンディ型ブレンダー（把持型電動器具、把持型調理器具）
１１    ：本体部
１１ａ  ：（アタッチメントとの）接続部
１２    ：第１の突起部
１２ａ  ：第１の当接部
１３    ：第２の突起部
１３ａ  ：第２の当接部
１４    ：操作部
１０１  ：ハンディ型ブレンダー（把持型電動器具、把持型調理器具）
２０１  ：ハンディ型ブレンダー（把持型電動器具、把持型調理器具）
３０１  ：ハンディ型ブレンダー（把持型電動器具、把持型調理器具）
４０１  ：ハンディ型ブレンダー（把持型電動器具、把持型調理器具）
５０１  ：ハンディ型ブレンダー（把持型電動器具、把持型調理器具）
【図１】
2019176943.tif 000003
【図２】
2019176943.tif 000004
【図３】
2019176943.tif 000005
【図４】
2019176943.tif 000006
【図５】
2019176943.tif 000007
【図６】
2019176943.tif 000008
【図７】
2019176943.tif 000009
【図８】
2019176943.tif 000010
【図９】
2019176943.tif 000011
【図１０】
2019176943.tif 000012
【図１１】
2019176943.tif 000013
【図１２】
2019176943.tif 000014